【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
ａ）アクリル酸若しくはアクリル酸の酸誘導体の酸モノマー若しくはオリゴマー又はそれらの混合物；又は
エチレン性不飽和モノマー若しくはオリゴマーと、アクリル酸若しくはアクリル酸の酸誘導体の酸モノマー若しくはオリゴマーとの混合物と、
ｂ）加熱されるか、３０５nm〜４５０nmの範囲の（ＵＶ）光を照射されるとラジカルを形成する少なくとも一つのラジカル開始剤と、
ｃ）式（Ｉａ）、（Ｉｂ）又は（Ｉｃ）：
【化１】
2004528440.tif 000001
（式中、
Ｙは、隣接する二重結合での求核付加反応を活性化する基を表し、
Ｘ-は、ハロゲン又は炭素原子１〜１２個の脂肪族若しくは芳香族モノカルボン酸若しくはジカルボン酸のアニオン、一価若しくは二価のオキソ酸のアニオン又は錯体酸のアニオンを表し、
ｎは、０又は１を表し、
Ｒ1、Ｒ2、Ｒ3は、互いに独立して、水素、Ｃ1〜Ｃ18アルキル、少なくとも１個の窒素若しくは酸素原子によって中断されているＣ3〜Ｃ18アルキル、Ｃ3〜Ｃ18アルケニル、Ｃ3〜Ｃ18アルキニル、Ｃ7〜Ｃ9フェニルアルキル、Ｃ3〜Ｃ12シクロアルキル又は少なくとも１個の窒素若しくは酸素原子を含むＣ3〜Ｃ12シクロアルキル；又は
ＮＯ2、ハロゲン、アミノ、ヒドロキシ、シアノ、カルボキシ、Ｃ1〜Ｃ4アルコキシ、Ｃ1〜Ｃ4アルキルチオ、Ｃ1〜Ｃ4アルキルアミノ、ジ（Ｃ1〜Ｃ4アルキル）アミノ及び−Ｏ−Ｃ（＝Ｏ）−Ｃ1〜Ｃ18アルキルからなる群より選択される少なくとも１個の置換基で置換されている、Ｃ1〜Ｃ18アルキル、少なくとも１個の窒素若しくは酸素原子によって中断されているＣ3〜Ｃ18アルキル、Ｃ3〜Ｃ18アルケニル、Ｃ3〜Ｃ18アルキニル、Ｃ7〜Ｃ9フェニルアルキル、Ｃ3〜Ｃ12シクロアルキル及び少なくとも１個の窒素若しくは酸素原子を含むＣ3〜Ｃ12シクロアルキル；又は
フェニル若しくはナフチル、又はＣ1〜Ｃ4アルキル、Ｃ1〜Ｃ4アルコキシ、Ｃ1〜Ｃ4アルキルチオ、ハロゲン、シアノ、ヒドロキシ、カルボキシ、Ｃ1〜Ｃ4アルキルアミノ及びジ（Ｃ1〜Ｃ4アルキル）アミノからなる群より選択される少なくとも１個の置換基で置換されているフェニル及びナフチルであるか；あるいは
Ｒ1及びＲ2が、連結するＮ、Ｐ又はＳヘテロ原子と一緒になって、Ｃ3〜Ｃ12ヘテロシクロアルキル基を形成するか；又は
Ｒ1及びＲ2が一緒になって基
【化２】
2004528440.tif 000002
を形成するか；又は
Ｒ1、Ｒ2及びＲ3が一緒になって基
【化３】
2004528440.tif 000003
を形成する）
の化合物と、を含む組成物。
【請求項２】
ｎ＝１である式（Ｉａ）の化合物を含む、請求項１記載の組成物。
【請求項３】
Ｒ1、Ｒ2、Ｒ3が、互いに独立して、Ｃ1〜Ｃ12アルキル、シアノ又はヒドロキシによって置換されているＣ1〜Ｃ12アルキル、少なくとも１個の窒素若しくは酸素原子によって中断されているＣ3〜Ｃ12アルキル、ベンジル若しくはフェニル、又はＣ1〜Ｃ4アルキル、Ｃ1〜Ｃ4アルコキシ、Ｃ1〜Ｃ4アルキルチオ、ハロゲン、シアノ、ヒドロキシ及びカルボキシからなる群より選択される少なくとも１個の置換基で置換されているベンジル及びフェニルを表す、請求項１記載の組成物。
【請求項４】
Ｙが、ＣＮ；フェニル若しくはナフチル、又はＣ1〜Ｃ4アルキル、Ｃ1〜Ｃ4アルコキシ、Ｃ1〜Ｃ4アルキルチオ、ハロゲン、ニトロ、シアノ、ヒドロキシ、カルボキシ、Ｃ1〜Ｃ4アルキルアミノ及びジ（Ｃ1〜Ｃ4アルキル）アミノからなる群より選択される置換基で置換されているフェニル及びナフチル；
−Ｃ（＝Ｏ）ＯＲ4（Ｒ4は、水素又はＣ1〜Ｃ18アルキルである）；
−Ｃ（＝Ｏ）Ｒ5（Ｒ5は、水素、ハロゲン、Ｃ1〜Ｃ18アルキル、フェニル若しくはナフチル、又はＣ1〜Ｃ4アルキル、Ｃ1〜Ｃ4アルコキシ、Ｃ1〜Ｃ4アルキルチオ、ハロゲン、ニトロ、シアノ、ヒドロキシ、カルボキシ、Ｃ1〜Ｃ4アルキルアミノ及びジ（Ｃ1〜Ｃ4アルキル）アミノからなる群より選択される置換基で置換されているフェニル及びナフチルである）；
−Ｃ（＝Ｏ）ＮＲ6Ｒ7（Ｒ6及びＲ7は、互いに独立して、水素又はＣ1〜Ｃ18アルキルである）；
−Ｓ（＝Ｏ）Ｒ8（Ｒ8は、Ｃ1〜Ｃ18アルキル、フェニル若しくはナフチル、又はＣ1〜Ｃ4アルキル、Ｃ1〜Ｃ4アルコキシ、Ｃ1〜Ｃ4アルキルチオ、ハロゲン、ニトロ、シアノ、ヒドロキシ、カルボキシ、Ｃ1〜Ｃ4アルキルアミノ及びジ（Ｃ1〜Ｃ4アルキル）アミノからなる群より選択される置換基で置換されているフェニル及びナフチルである）；
−Ｓ（＝Ｏ）2Ｒ9（Ｒ9は、ヒドロキシ、Ｃ1〜Ｃ18アルキル、Ｃ1〜Ｃ18アルコキシ、フェニル若しくはナフチル、又はＣ1〜Ｃ4アルキル、Ｃ1〜Ｃ4アルコキシ、Ｃ1〜Ｃ4アルキルチオ、ハロゲン、ニトロ、シアノ、ヒドロキシ、カルボキシ、Ｃ1〜Ｃ4アルキルアミノ及びジ（Ｃ1〜Ｃ4アルキル）アミノからなる群より選択される置換基で置換されているフェニル及びナフチルである）；
−Ｐ（＝Ｏ）Ｒ10Ｒ11（Ｒ10及びＲ11は、互いに独立して、Ｃ1〜Ｃ18アルキル、フェニル若しくはナフチル、又はＣ1〜Ｃ4アルキル、Ｃ1〜Ｃ4アルコキシ、Ｃ1〜Ｃ4アルキルチオ、ハロゲン、ニトロ、シアノ、ヒドロキシ、カルボキシ、Ｃ1〜Ｃ4アルキルアミノ及びジ（Ｃ1〜Ｃ4アルキル）アミノからなる群より選択される置換基で置換されているフェニル及びナフチルである）；
−Ｐ（＝Ｏ）（ＯＲ12）2（Ｒ12は、Ｃ1〜Ｃ18アルキル、フェニル若しくはナフチル、又はＣ1〜Ｃ4アルキル、Ｃ1〜Ｃ4アルコキシ、Ｃ1〜Ｃ4アルキルチオ、ハロゲン、ニトロ、シアノ、ヒドロキシ、カルボキシ、Ｃ1〜Ｃ4アルキルアミノ及びジ（Ｃ1〜Ｃ4アルキル）アミノからなる群より選択される置換基で置換されているフェニル及びナフチルである）；
−Ｐ（＝Ｏ）ＯＨ（ＮＲ13Ｒ14）2（Ｒ13及びＲ14は、互いに独立して、Ｃ1〜Ｃ18アルキル、フェニル若しくはナフチル、又はＣ1〜Ｃ4アルキル、Ｃ1〜Ｃ4アルコキシ、Ｃ1〜Ｃ4アルキルチオ、ハロゲン、ニトロ、シアノ、ヒドロキシ、カルボキシ、Ｃ1〜Ｃ4アルキルアミノ及びジ（Ｃ1〜Ｃ4アルキル）アミノからなる群より選択される置換基で置換されているフェニル及びナフチルである）
を表す、請求項１〜３のいずれか１項記載の組成物。
【請求項５】
式IIａ、IIｂ又はIIｃ：
【化４】
2004528440.tif 000004
（式中、
Ｘ-及びＹは、請求項１で定義したとおりであり、
Ｒ1、Ｒ2、Ｒ3は、請求項１で定義したとおりであり、
Ｒは、直接結合又は直鎖状若しくは分岐鎖状のＣ1〜Ｃ5アルキレンを表し、ただし、ＲがＣ1〜Ｃ5アルキレンであるとき、残基Ｒ1、Ｒ2又はＲ3の一つが水素であり、
Ｕは、水素、メチル、トリフルオロメチル、カルボキシメチル、メトキシカルボニルメチル、エトキシカルボニルメチル、トリフルオロエトキシカルボニルメチル、イソプロポキシカルボニルメチル、ヘキサフルオロイソプロポキシカルボニルメチル、ｎ−ブトキシカルボニルメチル、ｎ−ドデシルオキシカルボニルメチル、２−エチルヘキソキシカルボニルメチル、ぺルフルオロオクチルオキシカルボニルメチル、１，２−ジカルボキシエタ−１−イル、ベンジル又は４−ベンジルオキシ−３−メトキシフェニルを表し、
Ｂは、エチレン性不飽和コモノマーから誘導される残基を表し、
ｍ≧０であり、
ｎ＞０であり、
ｍ及びｎのいずれか又は両方が０よりも大であるとき、繰り返し単位は同一又は異なる）
で示される酸オリゴマー／ポリマー。
【請求項６】
式IIａ−ａ及びIIａ−ｂ
【化５】
2004528440.tif 000005
（式中、
Ｒ1、Ｒ2、Ｕ、Ｂ、Ｘ-、Ｙ、ｍ及びｎは、請求項５で定義したとおりであり、
Ｒ′及びＲ″は、互いに独立して、Ｃ1〜Ｃ18アルキル、少なくとも１個の窒素若しくは酸素原子によって中断されているＣ3〜Ｃ18アルキル、Ｃ3〜Ｃ18アルケニル、Ｃ3〜Ｃ18アルキニル又はＣ7〜Ｃ9フェニルアルキル；あるいは
ＮＯ2、ハロゲン、アミノ、ヒドロキシ、シアノ、カルボキシ、Ｃ1〜Ｃ4アルコキシ、Ｃ1〜Ｃ4アルキルチオ、Ｃ1〜Ｃ4アルキルアミノ、ジ（Ｃ1〜Ｃ4アルキル）アミノ及び基−Ｏ−Ｃ（＝Ｏ）−Ｃ1〜Ｃ18アルキルからなる群より選択される置換基で置換されている、Ｃ1〜Ｃ18アルキル、少なくとも１個の窒素若しくは酸素原子によって中断されているＣ3〜Ｃ18アルキル、Ｃ3〜Ｃ18アルケニル、Ｃ3〜Ｃ18アルキニル又はＣ7〜Ｃ9フェニルアルキルを表す）
で示される、請求項５記載の酸オリゴマー／ポリマー。